Podtech/llm-jp-corpus-v4-ja_patent huggingface dataset:
(57)【要約】      （修正有）【課題】アクリル導光板の中にインクの粒子を封入し、そのインク粒子をエッジライトで照らす掲示板の提供。【解決手段】印刷物のインクの粒子３を、アクリル樹脂の導光板１の中に封入し、そのインク粒子にエッジライト２の光線を照射し、反射光で印刷物を照らすことで解決できた。【選択図】図２
0003136672.tif 000002
【実用新案登録請求の範囲】
【請求項１】
アクリル樹脂導光板内に封じ込こんだ印刷物のインクの粒子をエッジライトよりの光線で照らす掲示板
【考案の詳細な説明】
【技術分野】
【０００１】  本考案は、アクリル樹脂導光板の側面より入射した光線でアクリル樹脂導光板内に封入された印刷物のインクの粒子を照らす掲示板に関するものである。
【背景技術】
【０００２】  従来の掲示板は、夜間照らす場合バックライトを使用し透過光で照らすか、外部より強烈な光線の反射光で照らす方法しかなかった。
【考案が解決しようとする課題】
【０００３】  しかし、透過光でトランスペレンシーを照射した場合、夜間は色彩を忠実に再現するが、透過光を使用しない日中の場合、色彩が忠実に再現できない。また、外部よりのライトの光線で照射する場合、電灯施設が必要で経済的負担が大きい。
【参考文献】
講談社  写真大百科事典７  ３５ページ
【課題を解決するための手段】
【０００４】  そこで、印刷物のインクの粒子を、特許公開２００２−１４９１０の技術を利用して、アクリル樹脂の導光板の中に封入し、そのインク粒子にエッジライトの光線を照射し、反射光で印刷物を照らすことで解決できた。
【特許文献】  特開２００２−１４９１０１号公報
【参考文献】
ｈｔｔｐ：／／ｊａ．ｗｉｋｉｐｅｄｉａ．ｏｒｇ／ｗｉｋｉ／バックライト
【０００５】  日夜の区別なく原画に忠実な色彩が再現でき、掲示板を作ることができる。
【実施例】
【０００６】  特許公開２００２−１４９１０１の技術を利用し掲示板を作る（特許文献参照）。
【考案の効果】
【０００７】  本考案は、特許公開２００２−１４９１０１の技術とバックライトの技術応用し日夜、色彩の変化することなく、また、光源に発光ダイオードを使用することによって省電力で環境に優しい掲示板を製作することが可能になった。
【図面の簡単な説明】
【図１】    本考案に係る左上部よりの鳥瞰図である。
【図２】    本考案に係る側面図である。
【符号の説明】
１・・・・・参考文献  ｈｔｔｐ：／／ｊａ．ｗｉｋｉｐｅｄｉａ．ｏｒｇ／ｗｉｋｉ／バックライトの導光板
２・・・・・ＬＥＤ等の光源
３・・・・・特許公開２００２−１４９１０の技術を利用しアクリル樹脂導光板内に封入されたインクの粒子
４・・・・・裏打ちされたプラスチック
５・・・・・光源およびアクリル樹脂導光板を包む枠
【図１】
0003136672.tif 000003
【図２】
0003136672.tif 000004
【手続補正書】
【提出日】平成19年5月8日(2007.5.8)
【手続補正１】
【補正対象書類名】実用新案登録請求の範囲
【補正対象項目名】全文
【補正方法】変更
【補正の内容】
【実用新案登録請求の範囲】
【請求項１】
符号の説明１のアクリル樹脂導光板（参考文献）の中に、特許公開２００２−１４９１０１号の技術で封じ込まれたインクの粒子３を、２の光源より入射させた光線で、３のインクの粒子を照らして作る掲示板。
（参考文献）  ｈｔｔｐ：／／ｊａｗｉｋｉｐｅｄｉａ．ｏｒｇ／ｗｉｋｉ／バックライトの導光板
［特許文献］  特許公開２０００２−１４９１０１号公報
【手続補正２】
【補正対象書類名】明細書
【補正対象項目名】図面の簡単な説明
【補正方法】変更
【補正の内容】
【図面の簡単な説明】
【図１】
本考案に係わる右上部よりの、一部内部を示す鳥瞰図である。
【手続補正３】
【補正対象書類名】図面
【補正対象項目名】図１
【補正方法】変更
【補正の内容】
【図１】
0003136672.tif 000005
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
アクリル樹脂導光板の中に封じ込まれたインクの粒子を導光板の木口より入射させた光線でインクの粒子を照らして作る掲示板。
【手続補正２】
【補正対象書類名】図面
【補正対象項目名】図１
【補正方法】変更
【補正の内容】
【図１】
0003136672.tif 000006
(57)【要約】      （修正有）【課題】簡易で、ボールを容易にすくい上げることができ、プレーの際にプレーの妨げにならない、クラブヘッドに装着するタイプのゲートボールはさみ上げ器具を提供する。【解決手段】ボールをはさんで拾い上げる機能を有し、競技中は回転させてクラブヘッド上部にたたみ込み可能な回転ボールはさみ上げ部１Ｂとクラブヘッドに装着し、回転ボールはさみ上げ部をクラブヘッドに固定するための円筒型装着固定部１Ａとからなるゲートボールはさみ上げ器具であり、円筒型装着固定部１Ａは空洞で、金属又はそれに代わるもので、直径はクラブヘッドの打面の直径より大きく且つ密着する直径を有し、また回転ボールはさみ上げ部１Ｂはボールをはさむためのクラブヘッド延長方向に伸びてボールを抱え込むように湾曲する二本のアーム部２ａ、２ｂ及びボールをすくい上げるための樋状のボールすくい上げ部３を有する。【選択図】図４
0003136676.tif 000002
【実用新案登録請求の範囲】
【請求項１】
ボールをはさんで拾い上げる機能を有し、競技中は回転させてクラブヘッド上部にたたみ込み可能な回転ボールはさみ上げ部１Ｂとクラブヘッドに装着し、該回転ボールはさみ上げ部をクラブヘッドに固定するための円筒型装着固定部１Ａとからなるゲートボールはさみ上げ器具であり、該円筒型装着固定部１Ａは空洞で、金属又はそれに代わるもので、直径はクラブヘッドの打面の直径より大きく且つ密着する直径を有し、また該回転ボールはさみ上げ部１Ｂはボールをはさむためのクラブヘッド延長方向に伸びてボールを抱え込むように湾曲する二本のアーム部２ａ、２ｂ及びボールをすくい上げるための樋状のボールすくい上げ部３を有し、これらは一体的に成形され、それらの連結中間位置において円筒型装着固定部１Ａに回転可能に固定するための受け軸ピン４ａ、４ｂ及びそれらを挿入するための孔を備える。
【考案の詳細な説明】
【技術分野】
【０００１】  本考案は、ゲートボール用クラブヘッドに装着し、ゲートボール用ボールをはさみ上げるためのゲートボールはさみ上げ器具に関する。
【背景技術】
【０００２】  従来は、スティックを使用する種々の競技において、ボールを拾い上げるのに、競技者が腰を屈める必要のない、腰痛、膝痛を防止するための様々な考案がなされてきた。例えば、下記のものはいずれもゲートボール用パターに関し、ボールをすくい上げるためのフォーク部を備えた実用新案公告平６−３０２１５号、ボールを打つヘッド底部にボールを挟み込む保持具を備えた実用新案公開公報平１−１２６２７１号、更にヘッド底部にボールを保持しリリースする複雑な装置を備えた特許公開公報平１０−８０５０８号等がある。
【考案の開示】
【考案が解決しようとする課題】
【０００３】  ゲートボール競技においては、競技者が高齢者、腰痛者や身障者である場合などに、ボールを拾い上げるのが困難でありゲームに参加するのが困難であった。この課題を解消するために簡易で、ボールを容易にすくい上げることができ、プレーの際にプレーの妨げにならない、クラブヘッドに装着するタイプのゲートボールはさみ上げ器具を提供するものである。
【課題を解決するための手段】
【０００４】  本考案は、ボールをはさんで拾い上げる機能を有し、競技中は回転させてクラブヘッド上部にたたみ込み可能な回転ボールはさみ上げ部１Ｂとクラブヘッドに装着し、前記回転ボールはさみ上げ部１Ｂをクラブヘッドに固定するための円筒型装着固定部１Ａとからなるゲートボールはさみ上げ器具により課題を解決するものである。【０００５】  更に詳述すれば、上記円筒型装着固定部１Ａは空洞で、金属等で作られ、直径はクラブヘッドの打面の直径より大きく且つ密着する直径を有している。上記回転ボールはさみ上げ部１Ｂは、ボールをはさむための、クラブヘッド延長方向に伸び、ボールを抱え込むように湾曲する二本のアーム部２ａ、２ｂ及びボールをすくい上げるための樋状のすくい上げ部３を有し、これらは一体的に成形され、それらの連結中間位置において円筒型装着固定部１Ａに回転可能に固定するための受け軸ピン４ａ、４ｂ及びそれらを挿入するための孔を備えている。
【考案の効果】
【０００６】  高齢者、腰痛者や身障者等が、ボールを拾い上げるのを容易にすることができ、更に、競技中は回転させてクラブヘッド上部にたたみ込んでプレーの妨げにならない利点を有する。
【図面の簡単な説明】
【０００７】
【図１】正面図
【図２】側面図
【図３】平面図
【図４】本考案の使用状態を示す斜視図
【図５】円筒型装着固定部と回転ボールはさみ上げ部を分離させた各斜視図
【符号の説明】
【０００８】１Ａ：円筒型装着固定部
１Ｂ：回転ボールはさみ上げ部
２ａ：アーム部
２ｂ：アーム部
３：ボールすくい上げ部
４ａ：受け軸ピン
５：ヘッド部
６：シャフト部
７ａ：打面
７ｂ：打面
８：ボール
【図１】
0003136676.tif 000003
【図２】
0003136676.tif 000004
【図３】
0003136676.tif 000005
【図４】
0003136676.tif 000006
【図５】
0003136676.tif 000007
【手続補正書】
【提出日】平成19年7月18日(2007.7.18)
【手続補正１】
【補正対象書類名】実用新案登録請求の範囲
【補正対象項目名】請求項１
【補正方法】変更
【補正の内容】
【請求項１】
円筒型装着固定部１Ａと回転ボールはさみ上げ部１Ｂからなり、該円筒型装着固定部１Ａは、クラブヘッド打面片側に装着固定される円筒で、その内径はクラブヘッド打面片側からクラブヘッドに装着固定できるようにクラブヘッド打面の直径より大きく且つ密着する内径を有し、該回転ボールはさみ上げ部１Ｂは、円筒型装着固定部１Ａに受け軸ピン４ａ、４ｂで回転可能に固定され、ボールを抱え込むよう湾曲する二本のアーム２ａ、２ｂとボールをすくい上げるための樋状ボールすくい上げ手段３を有するゲートボールはさみ上げ器具。
【手続補正２】
【補正対象書類名】明細書
【補正対象項目名】０００５
【補正方法】変更
【補正の内容】
【０００５】更に詳述すれば、上記円筒型装着固定部１Ａは、金属等で作られ、クラブヘッド打面片側に装着固定される円筒で、その内径はクラブヘッド打面片側からクラブヘッドに装着固定できるようにクラブヘッド打面の直径より大きく且つ密着する内径を有し、前記回転ボールはさみ上げ部１Ｂはボールをはさむための、クラブヘッドの一つの打面延長方向に伸び、ボールを抱え込むように湾曲する二本のアーム２ａ、２ｂ及びボールをすくい上げるための樋状のボールすくい上げ手段３を有し、一体的に成形され、円筒型装着固定部１Ａに受け軸ピン４ａ、４ｂで回転可能に固定され、受け軸ピンを挿入するための孔を備えている。
【手続補正３】
【補正対象書類名】明細書
【補正対象項目名】０００８
【補正方法】変更
【補正の内容】
【０００８】１Ａ：円筒型装着固定部
１Ｂ：回転ボールはさみ上げ部
２ａ：アーム
２ｂ：アーム
３：樋状ボールすくい上げ手段
４ａ：受け軸ピン
４ｂ：受け軸ピン
５：ヘッド部
６：シャフト部
７ａ：打面
７ｂ：打面
８：ボール
(57)【要約】      （修正有）【課題】立体将棋は下段の将棋の駒が見えるようにする。【解決手段】上段の将棋の駒の横の斜め上から下の将棋の駒の側面が見えるので将棋の駒の側面がより見えやすくするように将棋の駒の側面の中央を出して断面六角形とし、将棋の駒の上面１と上側面２．６に同色で同文字を書き、将棋の駒の下面４と下側面３．５を同色で同文字を書き、下面４の文字の色と上面１の文字の色を別にする。【選択図】図１
0003136671.tif 000002
【実用新案登録請求の範囲】
【請求項１】
将棋の駒を断面６面体にする事を特徴とした立体将棋の駒。
【請求項２】
上側面（２）と（６）は同じ色の文字を書きそして下側面（３）と（５）も同色の文字を書き、上側面の文字の色と下側面の文字の色を別にする事を特徴とした立体将棋の駒。
【考案の詳細な説明】
【技術分野】
【０００１】  本考案は立体将棋の駒に関するものである。
【背景技術】
【０００２】立体将棋は、前にも出願しているが下段の将棋の駒を見る手段は無かった。
【考案開示】
【考案が解決しようとする課題】
【０００３】  立体将棋の場合は上段の将棋の駒は良く見えるのですが下段の将棋の駒は見えにくいので将棋の駒の位がわかるようにする。
【課題を解決するための手段】
【０００４】  将棋の駒の横空スペースをいくらか広く取り上段の将棋の駒の斜め上から下段の将棋の駒を見ると下段の将棋の駒の側面が見えるので側面をさらに見えやすくする為に将棋の駒の側面の中央を出して断面六面体とし将棋の駒の上面と上側面に同色で同文字とし下面と下側面に同色で同文字とし上面の文字の色と下面の文字の色を別にする。
【考案の効果】
【０００５】  上段の将棋の駒の横から下段の将棋の駒の側面が見えるので何の位の駒か判断がつく。
【考案の実施するための最良の形態】
【０００６】  将棋の駒を厚くし断面六面体にしそして上面と上側面に赤又は黒のどちらか１方の色の同じ文字を書き、下面と下側面に他方の色の同じ文字を書く。
【実施例】
【０００７】  各各の将棋の駒の中は同じくし長さは位いが高くなる程長くする。
【産業上の利用可能性】
【０００８】  ゲーム
【図面の簡単な説明】
【０００９】
【図１】  将棋の駒の見取図である。
【符号の説明】
【００１０】  １        上面
２．６    上側面
３．５    下側面
４        下面
【図１】
0003136671.tif 000003
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
将棋の駒を上面に垂直な方向で将棋の駒の前向な方向に垂直な方向を断面６角形とする事を特徴とした立体将棋の駒。
【請求項２】
上側面（２）と（６）は同じ色の文字を書きそして下側面（３）と（５）も同色の文字を書き、上側面の文字の色と下側面の文字の色を別にする事を特徴とした立体将棋の駒。
【手続補正２】
【補正対象書類名】明細書
【補正対象項目名】全文
【補正方法】変更
【補正の内容】
【考案の詳細な説明】
【技術分野】
【０００１】  本考案は、立体将棋の駒に関するものである。
【背景技術】
【０００２】立体将棋は、前にも出願しているが下段の将棋の駒を見る手段は無かった。
【考案開示】
【考案が解決しようとする課題】
【０００３】  立体将棋の場合は上段の将棋の駒は良く見えるのですが下段の将棋の駒は見えにくいので将棋の駒の位がわかるようにする。
【課題を解決するための手段】
【０００４】  将棋の駒の横空スペースをいくらか広く取り上段の将棋の駒の斜め上から下段の将棋の駒を見ると下段の将棋の駒の側面が見えるので側面をさらに見えやすくする為に将棋の駒の側面の中央を出して上面に垂直な方向で将棋の駒の前向な方向に垂直な方向の断面六角形とし将棋の駒の上面と左右の上側面に同色で同文字とし下面と左右の下側面に同色で同文字とし上面の文字の色と下面の文字の色を別にする。
【考案の効果】
【０００５】  上段の将棋の駒の横から下段の将棋の駒の側面が見えるので何の位の駒か判断がつく。
【考案を実施するための最良の形態】
【０００６】  将棋の駒を厚くし上面に垂直な方向で将棋の駒の前向な方向と直角な方向を断面六角形にしそして上面と左右の上側面に赤又は黒のどちらか１方の色の同じ文字を書き、下面と左右の下側面に他方の色の同じ文字を書く。
【実施例】
【０００７】  各各の将棋の駒の巾は同じくし長さは位いが高くなる程長くする。
【産業上の利用可能性】
【０００８】  ゲーム
【図面の簡単な説明】
【０００９】
【図１】  将棋の駒の見取図である。
【符号の説明】
【００１０】  １          上面
２．６      上側面
３．５      下側面
４          下面
【手続補正３】
【補正対象書類名】図面
【補正対象項目名】全図
【補正方法】変更
【補正の内容】
【図１】
0003136671.tif 000004
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
将棋の駒を上面に垂直な方向で将棋の駒の前向な方向に直角な方向を断面６角形とする事を特徴とした立体将棋の駒。
【請求項２】
上側面（２）と（６）は同じ色の文字を書きそして下側面（３）と（５）も同色の文字を書き、上側面の文字の色と下側面の文字の色を別にする事を特徴とした請求項１記載の立体将棋の駒。
【手続補正２】
【補正対象書類名】手続補正書
【補正対象項目名】手続補正４
【補正方法】削除
【補正の内容】
(57)【要約】      （修正有）【課題】現場下地面へのボンド、糊付け作業の労働的負担と時間の短縮節約に繋がり、現場での天井・壁・床面等に接着剤を塗布する際、下地面への接着を有用に行う塗布具を提供する。【解決手段】ボンド塗布具本体１にボンド、糊等の入った後部チューブ２を圧力を掛けることにより、ボンド、糊等が押し出され、ボンド塗布具１の先端口にある穴３を通りＵ型又はＶ型の溝４を通過する事で、天井・壁・床面等に均一に平行線を引く事ができ、施工が簡単にできるボンド塗布具。【選択図】図１
0003136678.tif 000002
【実用新案登録請求の範囲】
【請求項１】
後部チューブ口先端にボンド塗布具を取り付ける事を特徴とするボンド塗布具。
【請求項２】
接着剤流出口は一定間隔に複数個の穴を配列される事を特徴とするボンド塗布具。
【請求項３】
先端流出口はＵ型又はＶ型の溝を設ける事を特徴とするボンド塗布具。
【請求項４】
ボンド塗布具は組立一体化になり折り込み線によって形状化するボンド塗布具。
【請求項５】
ボンド塗布具流出口に適度の角度をもたせる事を特徴とするボンド塗布具。
【考案の詳細な説明】
【技術分野】
【０００１】  本考案は、接着剤の塗布施工に係り、特に現場での天井・壁・床面等に接着剤を塗布する際、下地面への接着を有用に行う塗布具である。
【背景技術】
【０００２】  従来の現場にて、天井・壁・床面等への下地接着の場合、ヘラ・ハケ等で接着剤を塗り、その上に仕上材の施工がなされていた。
【考案の開示】
【考案が解決しようとする課題】
【０００３】  従来の塗布施工方法では、接着剤の全面塗布工程とその後の櫛目だて工程と、ヘラ・ハケ等の手作業に時間と手間が掛かり作業効率が悪く、労働的負担が大きい。又、天井・壁・床面等の接着剤の糊付けが均一に塗布できていなかった。
【課題を解決するための手段】
【０００４】  本考案は、チューブの先端にボンド塗布具を取り付け、その先端口に複数個の穴を設ける事で後部チューブより押し出された接着剤が、複数個の穴を通りＵ型又はＶ型の溝を通過する事により相手面への接着面の塗布が一方向にボンド筋が長く延設され、糊付けの安定感と糊付けの施工時間の短縮に繋がる。
【考案の効果】
【０００５】  上述の様に、本考案を使用する事によって接着剤の塗布施工時間が大幅に短縮され、むらなく糊付けができ、下地面への施工の際、後部チューブの中にボンド、糊等が入っているため、下地面が汚れる事もない。
【考案を実施するための最良の形態】
【０００６】  後部チューブの中にボンド、糊等を入れ、ボンド塗布具を接続し、手の力加減によりボンド、糊等を押し出し、糊付け接地面に押し当て、一方向へ引く事で、ボンド塗布具の穴から出てくるボンド、糊等がＵ型又はＶ型の溝を通る事で安定した糊付けができる。又、そのボンド塗布具先端は適度の角度がついているため、下地面への糊付けが離れた位置より施工ができ、糊垂れがない。
【実施例】
【０００７】  以下、添付図面に従って一実施例を説明する。１は耐久性のプラスチックなど適宜素材にて一体化形成されたボンド塗布具。２はボンド、糊等を入れておく後部チューブで、ボンド塗布具１に連結し、糊付け施工がなされる。【０００８】  ボンド塗布具１先端口には複数個の穴３を設ける事でボンド、糊等が均一に出てくる特徴があり、その穴３の先端にはＵ型又はＶ型の溝４を設ける事で安定した糊付けと均一にボンド、糊筋等が長く延設される。従って、糊付け時間の短縮に繋がる。【０００９】  本考案の一実施例は上述の如き構成からなるものであるから、ボンド、糊付け等の時間の短縮は勿論であるが、ヘラ・ハケ等での施工時の下地への汚れ防止にもなり大幅な節約に繋がる。
【図面の簡単な説明】
【００１０】
【図１】  本考案のボンド塗布具の実施例を示す正面図である。
【図２】  ボンド塗布具の一部切欠断面図である。
【図３】  本考案のボンド塗布具の実施例を示す斜視図である。
【符号の説明】
【００１１】  １    ボンド塗布具
２    後部チューブ
３    穴
４    溝
【図１】
0003136678.tif 000003
【図２】
0003136678.tif 000004
【図３】
0003136678.tif 000005
【手続補正書】
【提出日】平成19年7月20日(2007.7.20)
【手続補正１】
【補正対象書類名】実用新案登録請求の範囲
【補正対象項目名】全文
【補正方法】変更
【補正の内容】
【実用新案登録請求の範囲】
【請求項１】
先端口に溝を設ける事を特徴とするボンド塗布具。
【請求項２】
先端口は一定間隔に複数個の穴を配列する事を特徴とする請求項１記載のボンド塗布具。
【請求項３】
前期の溝はＵ型又はＶ型の溝を設ける事を特徴とする請求項１又は２記載のいずれかに記載するボンド塗布具。
【請求項４】
先端口は折り込み線を用いて形状化する事を特徴とする請求項１〜３記載のいずれかに記載するボンド塗布具。
【請求項５】
前期の先端口に適度の角度をもたせる事を特徴とする請求項１〜４記載のいずれかに記載するボンド塗布具。
(57)【要約】      （修正有）【課題】搭載機器類を面体で受けその荷重を平均分散させて屋根面への負荷を低減させる。【解決手段】面体の補強材として力骨を固定し、一方、機器の受材を用意する。力骨と受材とはボルトで結合するがボルト穴をルーズにしておくことにより角度は調整できるので搭載機器類は水平を保つことが出来る。【選択図】図１
0003136673.tif 000002
【実用新案登録請求の範囲】
【請求項１】
薄い金属板を折り曲げ加工した折板に例えば溝形鋼などを固着し力骨とする。これに角度調整機能を持たせた受材を固定し、搭載設備機器類を水平に保持できるようにする架台。
【請求項２】
搭載設備機器類の荷重を面として受け、その荷重を平均分散化して設置場所に伝わるようにした設備機器類の保全架台
【考案の詳細な説明】
【技術分野】
【０００１】  本考案は面材を底板に用いた設備機器類の保全架台に関するものである。
【背景技術】
【０００２】  情報化時代を迎え既存の建物の屋根部に通信会社の通信機器類を載せる必要性が多くなってきている。従来それらの機器類は鋼材で作った枠の上に載せて屋根部に据え置きしている。しかし地震時や暴風時には転倒の恐れがあるので既存建物にアンカーしているが雨漏りの原因になったり、美観をそこねている。さらに地震時には浮き上がりが生じ全荷重を枠の１辺で受けるので屋根に対する負荷が大きい。また屋根には水勾配がついているので機器類は水平を保持するのが難しい。
【考案の開示】
【考案が解決しようとする課題】
【０００３】  機器類の重量を面で受けその荷重を平均分散して屋根に対する負荷を軽減する。機器の受材に角度調整機能を持たせて機器類の水平保持を確保するなど前述の欠点を解決しようとするものである。
【課題を解決するための手段】
【０００４】  軽く強度のある折板に力骨を固結しこの力骨に角度調整機能を持った受材を固定することにより機器類を水平固持できる。
【考案の効果】
【０００５】  一般的に市販されている折板は廉価で軽くしかも強度もある。しかも溶融亜鉛めっきが施されているものもあり耐候性も十分ある。力骨や受材も流通の多い溝形鋼を使用することにより、経済性も発揮できる。機器類は水平を保つことが出来るのでモーター類などの寿命が一段と増す。降雨時の雨水も折板の溝間をすりぬけて流れるので機器類への悪影響は無い。ケーブル類も折板下面に配線すれば人に踏まれたりすることなく保全が保てる。
【考案を実施するための最良の形態】
【０００６】  折板の溝の方向に対し直角方向に２本の力骨を渡し折板に溶接やボルトナット類で固定する。この力骨には複数のルーズホールを穿けておく。受材は搭載機器類を受け力骨に固結する。この際締め付けボルトナットはルーズホールを通すので受材を水平にすることが可能になる。
【実施例】
【０００７】  以下、添付図面に従って一実施例を説明する。１は折板である。２は力骨で側面に長穴２ａをあけておき折板１に固結する。３は受材で上部に機器類の取付穴３ａをあけ、側面には長穴３ｂをあけておく。設置する屋根面は傾斜していることが多いがそのまま置き力骨２を取り付ける。次に受材３を力骨２と背中合わせにし、長穴２ａと３ｂを通しボルトナットで固結する。この際受材３の上面を水平にして固結する。長穴２ａと長穴３ｂは夫々ルーズなので角度調整が容易である。
【図面の簡単な説明】
【０００８】
【図１】全体を示した斜視図である。
【符号の説明】
【０００９】  １    折板
２    力骨
２ａ  長穴
３    受材
３ａ  ボルト穴
３ｂ  長穴
ボルトナットの図は省略する。
【図１】
0003136673.tif 000003
【手続補正書】
【提出日】平成19年7月9日(2007.7.9)
【手続補正１】
【補正対象書類名】実用新案登録請求の範囲
【補正対象項目名】全文
【補正方法】変更
【補正の内容】
【実用新案登録請求の範囲】
【請求項１】
薄い金属板を折り曲げて加工した折板の、溝の方向に対し直角方向に梁状構造材を渡し折板に固定し，この梁状構造材に受材を装着して搭載機器類の基礎とするが、梁状構造材と受材の双方に長穴を開けておき梁状構造材と受材を固着する際、長穴の余裕を利用して受材の角度を水平に保持することができる架台
【手続補正３】
【補正対象書類名】明細書
【補正対象項目名】全文
【補正方法】変更
【補正の内容】
【考案の詳細な説明】
【技術分野】
【０００１】  本考案は面材を底板に用いた搭載機器類を水平に保持する架台に関するものである。
【背景技術】
【０００２】  情報化時代を迎え既存の建物の屋根部に通信会社の通信機器類を載せる必要性が多くなってきている。従来それらの機器類は鋼材で作った枠の上に載せて屋根部に据え置きしている。しかし地震時や暴風時には転倒の恐れがあるので既存建物にボルト留めしているが雨漏りの原因になったり、美観をそこねている。さらに地震時には浮き上がりが生じ全荷重を枠の１辺で受けるので屋根に対する負荷が大きい。また屋根には水勾配がついているので機器類は水平を保持するのが難しい。
【考案の開示】
【考案が解決しようとする課題】
【０００３】  搭載機器類の重量を面で受けその荷重を平均分散して屋根の設置面に対する負荷を軽減する。搭載機器類の受材に角度調整機能を持たせて搭載機器類の水平保持を確保するよう前述の欠点を解決しようとするものである。
【課題を解決するための手段】
【０００４】  軽く強度のある折板に梁状構造材を固結しこの梁状構造材に角度調整機能を持った受材を固定することにより搭載機器類を水平維持できる。
【考案の効果】
【０００５】  一般的に市販されている折板は廉価で軽く強度もある。しかも溶融亜鉛めっきが施されているものもあり耐候性も十分ある。梁状構造材や受材も流通の多い材料を使用することにより経済性も発揮できる。搭載機器類は水平を保つことが出来るのでモーター類などの寿命が一段と増す。降雨時の雨水も折板の溝間をすりぬけて流れるので搭載機器類への悪影響は無い。ケーブル類も折板下面に配線すれば人に踏まれたりすることなく保全が保てる。
【考案を実施するための最良の形態】
【０００６】  折板の溝の方向に対し直角方向に梁状構造材を渡し折板に固定する。この梁状構造材に受材を装着して搭載機器類の基礎とする。梁状構造材と受材の双方に長穴をを開けておく。梁状構造材と受材を固着する際、長穴の余裕を利用して受材の角度調整することができるので受材を水平に保つことができる。
【実施例】
【０００７】  以下、添付図面に従って一実施例を説明する。２は折板である。２は梁状構造材で側面に長穴２ａをあけておき折板１に固結する。３は受材で上部に搭載機器類用の取付穴３ａをあけ、側面には長穴３ｂをあけておく。設置する屋根面は傾斜していることが多いがそのまま梁状構造材２を取り付ける。次に受材３を梁状構造材２に添えて、長穴２ａと３ｂを通しボルトナットで固結する。この際受材３の上面を水平にして固結する。長穴２ａと長穴３ｂは夫々ルーズなので角度調整が容易である。
【図面の簡単な説明】
【０００８】全体を示した斜視図である。
【符号の説明】
【０００９】  １      折板
２      梁状構造材
２ａ    長穴
３      受材
３ａ    ボルト穴
３ｂ    長穴
ボルトナットの図は省略する。
(57)【要約】      （修正有）【課題】乗用車など前が長い車において、ガレージから車道に出るときや、狭い十字路など、見通しの悪い所で、前方側面方向の安全を車道や、交差点に入る前に確認する。【解決手段】左側用フエンダーミラーと前方右側面を見るためのミラーを一体にした複合型ミラー。【選択図】図３
0003136677.tif 000002
【実用新案登録請求の範囲】
【請求項１】
フエンダーミラーにサイドミラーを取り付けたもの、
【請求項２】
フエンダーにサイドミラーを取り付けたもの
【考案の詳細な説明】
【技術分野】
【０００１】    本考案はフエンダーについたバックミラーにサイドミラーを取り付けた、フエンダーミラーに関するものである
【背景技術】
【０００２】    乗用車やボンネットタイプの車ではガレージから出るときや、狭い十字路を通るとき、右側の安全を確認するのが困難であった。運転席が道路まで出ないと右側が見えないので不安である。
【考案の開示】
【考案が解決しようとする課題】
【０００３】    ガレージから道路にでるときや、見通しの悪い交差点に入るとき、右側から来る車などを確認するのが困難で出会いがしらの事故が多発していた。
【課題を解決するための手段】
【０００４】    バックミラーの側面にミラーをとりつける。
【考案の効果】
【０００５】    上述のように、取り付けると車が道路や交差点に入る前に、右方向の安全を確保できる。このことにより、事故等の発生を予防できる。
【考案を実施するための最良の形態】
【０００６】    車の前方にある既存のフエンダーミラーにサイドミラーを取り付けることにより、コストを掛けず、また、視界も妨げない。
【図面の簡単な説明】
【０００７】
【図１】    正面図
【図２】    上面図
【図３】    全体図
【符号の説明】
【０００８】    １  サイドミラー
２  バックミラー
【図１】
0003136677.tif 000003
【図２】
0003136677.tif 000004
【図３】
0003136677.tif 000005
【手続補正書】
【提出日】平成19年6月25日(2007.6.25)
【手続補正１】
【補正対象書類名】実用新案登録請求の範囲
【補正対象項目名】全文
【補正方法】変更
【補正の内容】
【実用新案登録請求の範囲】
【請求項１】
左側用フエンダーミラーと前方右側面を見るためのミラーを一体にした複合型ミラー。
(57)【要約】      （修正有）【課題】季語の四季別比較検索方式の従来不便性の解消、すなわち便利追及。【解決手段】縦に見出しとして四季区分した表の中に、同一ないし類似近接季語を、縦の同一ないし近接の列に記載する書物を公刊する。【選択図】図１
0003136680.tif 000002
【実用新案登録請求の範囲】
【請求項１】
事象の季節性の呼称（すなわち季語）の理解と検索を容易にする為に、書物の記載の形式を次のように改めた書物も、世に公刊し存在せしめる。
すなわち、各頁に、縦横四角桝の表を設定し、その中の細区分を縦に春夏秋冬新年の四季（五季だが一般に四季という）に分類項目として設定し、そこへ季語を当て嵌めて記載する。
その際、同一事象の季節により呼称の異なるものは、同一列に記載する。（類似の季語あれば、準じて同列ないし近接列に記載する）。
【考案の詳細な説明】
【技術分野】
【０００１】本発明は歳時事物・事項、すなわち季語（以下季語という）を、書に記載・編集する形式に関する。
【背景技術】
【０００２】従来公刊書物の一般の歳時記や季寄せ集
【考案の開示】
【考案が解決しようとする課題】
【０００３】従来一般の歳時記や季寄せ書物の記述編集は、見出しに大分類の四季区分を、中分類に事項区分を掲げ、各々の歳時（素材や事物）を数頁にわたり、羅列記載印刷している。
この為、事物間の比較や検索が、頁を繰らねばならず不便である。
【課題を解決するための手段】
【０００４】季語の理解と検索を容易にする為に、書物の記載の形式を次のように改めた書物も世に公刊し存在せしめる。
すなわち、各頁に、縦横四角桝の表を設定し、その中の細区分を縦に春夏秋冬新年の四季（五季だが一般に四季という）に分類項目として設定し、そこへ季語を当て嵌め記載し印刷する。
その際、同一事象の季節により呼称の異なるものは、同一列に記載する。
（類似の季語あれば、準じて同列ないし近接列に記載する）。
【考案の効果】
【０００５】一頁の一表に同一ないし類似・近接事象の四季の帰属性と呼称の違いが一覧して理解し得、その備忘検索が時間的労力的に節減され便利になる。
【考案を実施するための最良の形態】
【０００６】書物として公刊し、一般の使用に供する。
【実施例】
【０００７】（次頁記載）
【産業上の利用可能性】
【０００８】出版社から出版（販売または頒布）する
【図面の簡単な説明】
【０００９】〔０００４〕の通り。縦に四季を区分し、横に事象を記載する表を構成する。
0003136680.tif 000003
0003136680.tif 000004
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
季語の理解と検索を容易にする目的で、歳時記の記載の形式を、各頁に、縦横四角枡の表を設け、その中の細区分を、縦又は横欄に春夏秋冬新年の四季（五季だが一般に四季という）の分類を設定し、横または縦列に季語を記載することとし、その記載方法を同一事項または類似事項の季別呼称を同一列に記載する形式の書物を製作し、世に公刊し存在せしめる。
【手続補正２】
【補正対象書類名】明細書
【補正対象項目名】０００９
【補正方法】変更
【補正の内容】
【０００９】製作する書物の各頁に、縦横四角枡の表を設け、その中の細区分を、縦又は横欄に春夏秋冬新年の四季（五季だが一般に四季という）の分類を設定し、横または縦列に季語を記載するが、その記載方法を同一事項または類似事項の季別呼称を同一列に記載する。
［図１］は本考案の平面図である。
【手続補正３】
【補正対象書類名】図面
【補正対象項目名】全図
【補正方法】変更
【補正の内容】
【図１】
0003136680.tif 000005
【手続補正書】
【提出日】平成19年8月9日(2007.8.9)
【手続補正１】
【補正対象書類名】実用新案登録請求の範囲
【補正対象項目名】全文
【補正方法】変更
【補正の内容】
【実用新案登録請求の範囲】
【請求項１】
季語の理解と検索を容易にする目的で、歳時記の記載の形式を、各頁に、縦横四角枡の表を設け、その中の細区分を、縦又は横欄に春夏秋冬新年の四季（五季だが一般に四季という）の分類を設定し、横または縦列に季語を記載することとし、その記載方法を同一事項または類似事項の季別呼称を同一列に記載する形式の歳時記書籍であること。
(57)【要約】      （修正有）【課題】調理済みの食品を別途新たに調理しなおすことなく、堅い食品、もしくは大きな固まりでも咀嚼力の弱い乳幼児や老人が食べられるように、簡単・迅速に且つ、衛生的に、強い力を必要とせずに刻むことを可能とする。【解決手段】刃の部分を複数ならべ切断部を多数作ることで対象物をすぐに細分化できる。両面の外側に来る刃の部分を、通常のキッチンバサミの刃よりも厚みを持たせ小型ペンチのような肉厚刃にすると同時に、刃の部分を短くすることで、刃の部分の切断力、および耐久力を向上させている。刃の前面部分に細かい溝を入れることで、滑り止めの効果を持たせている。使用者が無理なく力を入れられるように、掌握部分の形状をペンチ等の工具のように上から握るだけの形状とし、刃の寸法より長くすることで握力のない人でも、楽に力がかけられるようにしている。【選択図】図１
0003136675.tif 000002
【実用新案登録請求の範囲】
【請求項１】
複数並ぶ刃の両端の部分に他の刃よりも厚みを持たせてある多連鋏
【請求項２】
厚みをつけた刃の、切断面ではなく側面の部分に滑り止めのギザギザ形状をつけてある多連鋏
【請求項３】
鋏の掌握部分の形状が通常の鋏のように指を入れる輪の部分が無く、ペンチ等の工具同様に、上から握る形状になっている鋏
【考案の詳細な説明】
【技術分野】
【０００１】  この考案は、切断部が複数ある調理用ハサミに関するものである。
【背景技術】
【０００２】  従来、刃の部分を複数ならべ切断部を多数作ることで対象物をすぐに細分化するはさみがあった。
【考案の開示】
【考案が解決しようとする課題】
【０００３】  これは次のような欠点があった。
（イ）刃の部分が薄いため、堅くて大きめのかたまりが簡単に切れない。無理な力が加わると刃が曲がったり折れたりした。
（ロ）芋などの大きな固まりであると刃と刃の間から外れてしまった。
（ハ）掌握部分に力が入りにくく、握力の弱い人には堅いものや大きいものを切るのがむずかしかった。
【課題を解決するための手段】
【０００４】  切断部が複数ある鋏の前例に比して、刃の部分の切断力、および耐久力を向上させるために、複数ある刃の一部分を肉厚刃にすると同時に、刃の部分を短くする。【０００５】  刃の前面部分に滑り止めの溝を入れる。【０００６】  前例の鋏は掌握部分の形状が環になっていて、通常の鋏と同様に輪の中に指を中に入れ込むが、使用者が無理なく力を入れられるように掌握部分の形状と長さを変える。
【考案の効果】
【０００７】  上述のように、鋏の刃の部分の厚みを増し、掌握部分の形状を握りやすいものに変えたので、握力の弱い人でも無理な力をかけずに、調理済みの食品を別途新たに調理しなおすことなく、肉やイモ類等の堅い食品、もしくは大きな固まりでも咀嚼力の弱い乳幼児や老人が食べられるように、簡単・迅速に且つ、衛生的に細かく刻むことが可能となる。
【考案を実施するための最良の形態】
【０００８】  以下、本案の実施の形態について説明する。
（イ）複数ある刃のうち両端の部分を他の刃よりも厚みを持たせ肉厚刃にすると同時に、刃全体の長さを短くする。
（ロ）刃の前面部分に滑り止めの細かい溝を入れる。
（ハ）掌握部分の形状を通常の鋏と同様に環にして指を中に入れ込むのではなく、ペンチや花ばさみ等の工具のように上から握るだけのものとし、刃の寸法より長くする。
【図面の簡単な説明】
【０００９】
【図１】  本考案の斜視図である。
【符号の説明】
【００１０】  １−１．肉厚刃  １−２．１−３．刃
２−２．肉厚刃  ２−２．２−３．刃
３  滑り止めの溝
４  ピン
５  コイルスプリング
６  握り
７  収納時に握り部分を固定する留め金
８  留め金を固定する溝
【図１】
0003136675.tif 000003
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
複数並ぶ刃の両端の部分に他の刃よりも厚みを持たせてある多連鋏
【請求項２】
厚みをつけた刃の、切断面ではなく側面の部分に滑り止めのギザギザ形状をつけてある多連鋏
【請求項３】
鋏の掌握部分の形状が通常の鋏のように指を入れる輪の部分が無く、ペンチ等の工具同様に、上から握る形状になっている請求項１記載の多連鋏
(57)【要約】      （修正有）【課題】従来のタングプレートのベルト挿通部の摺動板は、５点の部品であったのでコスト高であった。そこで、摺動板は１点のみで、コストを下げると共に、組立時間も少なく、さらにコストを下げることができるようにする。【解決手段】ベルトの一端部に固定したソケット本体と、他端部に設けソケット本体に挿入係合するタングプレート３から成る構造の安全帯用バックルにおいて、タングプレート３の基端部に挿通孔４を中間片５により分断して設け、断面Ｕ字状に折曲し、上板部６１を一方の挿通孔４より小さく形成し、挿通孔４に嵌入自在とし、下板部６２の先端に歯７と折曲部８を設けた摺動板６を、一方の挿通孔４より嵌合し、Ｕ字部を挿通孔４の間の中間片５に嵌入し、摺動板６の歯７面に設けた折曲部８を折曲し、摺動板６を中間片５よりの脱落を防止した構造である。【選択図】図１
0003136540.tif 000002
【実用新案登録請求の範囲】
【請求項１】
ベルト１の一端部に固定したソケット本体２と、他端部に設けソケット本体２に挿入係合するタングプレート３から成る構造の安全帯用バックルにおいて、タングプレート３の基端部に挿通孔４を中間片５により分断して設け、断面Ｕ字状に折曲し、上板部６１を一方の挿通孔４より小さく形成し、該挿通孔４に嵌入自在とし、下板部６２の先端に歯７と折曲部８を設けた摺動板６を、一方の挿通孔４より嵌合し、Ｕ字部を挿通孔４の間の中間片５に嵌入し、摺動板６の歯７面に設けた折曲部８を折曲し、摺動板６を中間片５よりの脱落を防止したことを特徴とする安全帯用バックル。
【考案の詳細な説明】
【技術分野】
【０００１】
本願は、高所作業者が墜落防止のために腰部に装着する安全帯のバックルに関するものであり、特に連結式のバックルの改良に関するものである。
【背景技術】
【０００２】
従来、本出願人が特開２００２−３１３号によって開示した連結式のバックルがある。これは、所期の目的を達成し得たものであり、簡単な操作によって連結が可能なものであり、ワンタッチバックルと呼ばれている。
さらに、特開２００５−７３７８１号によって、上記バックルの不具合を改良してきている。
【特許文献１】特開２００２−３１３号公報
【特許文献２】特開２００５−７３７８１号公報
【考案の開示】
【考案が解決しようとする課題】
【０００３】
前記した従来のワンタッチバックルのタングプレート基端部に設けたベルト挿通孔は、図８のように、三枚の鋼板を重合し、リベット止めした摺動板が取付けられ、ベルトの調節と滑り防止を行っている。
摺動板は、５点の部品よりなりコストもかかり、解決しなければならない課題であった。
【課題を解決するための手段】
【０００４】
よって本願では、タングプレート基端部の摺動板６の改良にかかるもので、基端部に挿通孔４を中間片５により分断して設け、断面Ｕ字状に折曲し、上板部６１を一方の挿通孔４より小さく形成し、該挿通孔４に嵌入自在とし、下板部６２の先端に歯７と折曲部８を設けた摺動板６を、一方の挿通孔４より嵌合し、Ｕ字部を挿通孔４の間の中間片５に嵌入し、摺動板６の歯７面に設けた折曲部８を折曲し、摺動板６を中間片５よりの脱落を防止したものである。
【考案の効果】
【０００５】
本願の構造のタングプレートは、部品点数が少なく、コストを下げることができる。
また、組立も簡単容易であり、組立時間も少なく、さらにコストを下げることができる。
タングプレートの本体は、従来品よりベルト長さ方向に少し長くなるが、ベルト幅方向は同じであり、曲げ型はそのまま使用できるし、抜き型、中板の金型等の初期出費はかかるが、大幅なコストダウンが可能である。
【実施例】
【０００６】
本願の実施例を詳記すると、ベルト１の一端部に固定したソケット本体２と、他端部に設けソケット本体２に挿入係合するタングプレート３から成る構造の安全帯用バックルにおいて、タングプレート３の基端部に挿通孔４を中間片５により分断して設け、断面Ｕ字状に折曲し、上板部６１を一方の挿通孔４より小さく形成し、該挿通孔４に嵌入自在とし、下板部６２の先端に歯７と折曲部８を設けた摺動板６を、一方の挿通孔４の裏側より嵌合し、Ｕ字部を挿通孔４の間の中間片５に嵌入し、摺動板６の下板部６２の歯７面に設けた折曲部８を内側に折曲し、摺動板６を中間片５よりの脱落を防止すると共に、歯７面に対向する挿通孔４の縁９を押圧し、歯７面と対峙した構造を有している。
【０００７】
タングプレート３は、高張力鋼板より打抜き加工し、基端部に設けたベルト挿通孔４よりは細幅となり、先端部は両側より内側に向けコ字状に折り曲げ、対向する側壁３１を設け、該側壁３１，３１に方形の係合口３２を設けると共に、裏面側に凸状の突出部３３を設けたものである。
【０００８】
図３は本願バックルのタングプレートの分解図であり、組立順序は、断面Ｕ字状に折曲し、上板部６１を一方の挿通孔４より小さく形成し、下板部６２の先端に歯７と折曲部８を設けた摺動板６を、一方の挿通孔４の裏側より嵌合し、Ｕ字部を挿通孔４間の中間片５に嵌入し、摺動板６の下板部６２の歯７面に設けた折曲部８を内側に折曲し、摺動板６を中間片５よりの脱落を防止するものである。
【０００９】
図５はベルト端に本願タングプレートを挿通配置したもので、従来品と同じく墜落防止用安全ベルトの先端部をタングプレート３の前側挿通孔４の裏面より挿通し、表側に出た先端部を摺動板６上を越して、後側の挿通孔４へ挿通するものである。
従来品は、摺動板の上板の両端部が本体と重なっているだけで、強度を上げるために厚板を用いていたが、本願は、摺動板６の上板部６１が中間片５に重なり、ベルト幅より広い部分が重なっており、摺動板６の板厚は、従来品より薄い鋼板でもよく、軽量化にもなっている。
【図面の簡単な説明】
【００１０】
【図１】本願タングプレートの斜視図。
【図２】本願タングプレートの裏面斜視図。
【図３】本願タングプレートの分解斜視図。
【図４】本願タングプレートの断面図。
【図５】本願タングプレートにベルトを挿通したところの斜視図。
【図６】本願ワンタッチバックルの斜視図。
【図７】従来のタングプレートの斜視図。
【図８】従来のタングプレートの断面図。
【符号の説明】
【００１１】
１  ベルト
２  ソケット本体
３  タングプレート
４  ベルト挿通孔
５  中間片
６  摺動板
７  歯
８  折曲部
９  縁
31  側壁
32  係合口
33  突出部
61  上板部
62  下板部
【図１】
0003136540.tif 000003
【図２】
0003136540.tif 000004
【図３】
0003136540.tif 000005
【図４】
0003136540.tif 000006
【図５】
0003136540.tif 000007
【図６】
0003136540.tif 000008
【図７】
0003136540.tif 000009
【図８】
0003136540.tif 000010
(57)【要約】      （修正有）【課題】厳粛な印象を与える納骨装置の提供。【解決手段】本考案の納骨装置は、塔架と、箱体と、透明体と、からなる。塔架は、複数の仕切り板により複数の空間を区切り出す。空間側辺の仕切り板は複数の光源を有する。各空間に箱体を置き入れ、箱体の内部は少なくとも一つの門板により骨壷を容置できる後空間と、透明体を置き入れることができる前空間と、を区切る。透明体はガラス、アクリル、色釉、プラスチック等の材料からなる透光物体であり、内部、或いは、表面に更に突出した立体塑像を設置してもよい。透明体を結合した箱体を塔の空間に置入した後、光源により光線を透明体に投射して、厳粛な印象を醸し出す。【選択図】図１
0003136546.tif 000002
【実用新案登録請求の範囲】
【請求項１】
納骨装置であって、
複数の仕切り板により複数の空間を区切り出す塔架と、
前記塔架の空間置き入れ、内部は少なくとも一つの門板により骨壷を容置できる後空間と、透明体を置き入れることができる前空間と、を区切り、長さが前記塔架の空間の深さより長く、前記空間に置入する時、前記空間の深さが前記塔架を突出する箱体と、
前記箱体の前空間に組み合わされ、立体の塑像を有する透明体と、
からなることを特徴とする納骨装置。
【請求項２】
前記塔架の空間側辺の仕切り板は、前記透明体に光線を投射する光源を有することを特徴とする請求項１に記載の納骨装置。
【請求項３】
前記門板は二片あり、ヒンジにより前記箱体内部両側に取り付けられることを特徴とする請求項１に記載の納骨装置。
【考案の詳細な説明】
【技術分野】
【０００１】
本考案は骨壷を容置する納骨装置に関するものである。
【背景技術】
【０００２】
納骨は、納骨堂に壁を設置し、複数の骨壷を放置する空間を提供し、空間の入口は門板を設置し、門板の表面には、一般に、仏教と関係する図案や文字を有し、厳粛な印象を与える。
【０００３】
公知の納骨塔は厳粛な印象を与えるが、長期に渡り何の変化もない。
【考案の開示】
【考案が解決しようとする課題】
【０００４】
よって、本考案は、更に厳粛な雰囲気を醸し出す納骨装置を提供することを目的とする。
【課題を解決するための手段】
【０００５】
本考案の納骨装置は、塔架と、箱体と、透明体と、からなる。塔架は、複数の仕切り板により複数の空間を区切り出す。空間側辺の仕切り板は複数の光源を有する。各空間に箱体を置き入れ、箱体の内部は少なくとも一つの門板により骨壷を容置できる後空間と、透明体を置き入れることができる前空間と、を区切る。透明体はガラス、アクリル、色釉、プラスチック等の材料からなる透光物体であり、内部、或いは、表面に更に突出した立体塑像を設置してもよい。透明体を結合した箱体を塔の空間に置入した後、光源により光線を透明体に投射して、厳粛な印象を醸し出す。
【考案の効果】
【０００６】
本考案は、納骨塔の外部に透光や有色、及び、塑像を有する透明体を結合し、光源により、光線を透明体に投射して、納骨塔が公知のものとは違う視覚効果を生成し、厳粛な印象を生成する。
【考案を実施するための最良の形態】
【０００７】
図１で示されるように、本考案の納骨装置は、塔架１、箱体２、及び、透明体３、からなる。塔架１は複数の仕切り板１１により複数の内空間１２を有する架体を区切り、内空間１２は好ましくは矩形で、且つ、塔架上にアレイ上に排列されて、箱体２、及び、骨壷を容置する。更に、本考案は、内空間１２出口周辺の仕切り板１１に光源１３を嵌設し、光源は電源に連接されて、光源１３は内空間に向けて光線を投射する。節電、及び、使用寿命を考慮して、光源１３は好ましくは発光ダイオード（LED）である。
【０００８】
箱体２は矩形体で、その外形状は塔架１の内空間１２に対応する断面形状であり、箱体２が内空間１２中に置入される。箱体２の長さは内空間１２の深さより大きく、箱体２は完全に内空間１２に置入された後、前端一段の長さは塔架１を突出する。箱体２の内部は少なくとも一つの門板２１により骨壷４を置入できる後空間２３と、透明体３を置入できる前空間２２とを有する。本考案の実施例によると、門板２１は二つの扇を有し、ヒンジにより箱体２内部の相対する両側に取り付けられる。好ましくは、門板２１の設置位置は、塔架１の表面と同列である。つまり、前空間２２は内空間１２を突出し、後空間２３は内空間１２中に位置する。
【０００９】
透明体３はガラス、アクリル、色釉、プラスチック等の材料からなり、透明体に適当な顔料を注入してもよく、透明体３内に、観音や、佛祖等塑像を設置してもよい。或いは、例えば、渦巻き、印象パターン等、西洋の図案でもよい。透明体３は門板２１の閉鎖時、丁度、箱体２の前空間２２に組み合わされて、透明体が塔架１を突出する（図２で示される）。光源１３が発光する時、光線は透明体３の側辺から透明体内部に投射して（図３で示される）、透明体自身の色と塑像やパターンにより、公知の外観と異なる視覚印象を生成する。納骨塔は大量に本考案の設計を採用する時、厳粛な雰囲気を醸し出す（図４で示される）。
【図面の簡単な説明】
【００１０】
【図１】本考案の納骨装置の立体分解図である。
【図２】透明体を箱体に結合し、且つ、箱体を塔架内空間に置入後の立体図である。
【図３】本考案の光源が透明体に光線を投射して、視覚効果を形成する実施例図である。
【図４】本考案の納骨堂の室内が厳粛な雰囲気を出す状態を示す図である。
【符号の説明】
【００１１】
１        塔架
１１      仕切り板
１２      内空間
１３      光源
２        箱体
２１      門板
２２      前空間
２３      後空間
３        透明体
３１      塑像
４        骨壷
【図１】
0003136546.tif 000003
【図２】
0003136546.tif 000004
【図３】
0003136546.tif 000005
【図４】
0003136546.tif 000006